(57)【要約】従来のディスク部の保護方法においては、ディスク装置の設置作業中に大きな衝撃が発生した場合には、ディスク部の信頼性を確保出来なくなる。  ディスク起動ディスク起動制御手段１３は、電源オン操作が行われた際、（１）ディスク起動モード設定手段１４が禁止モードに設定されている場合には、ハードディスク１２の起動を行なわず、処理部１７を起動するように制御し、（２）ディスク起動モード設定手段１４が許可モードに設定されている場合には、ハードディスク１２及び処理部１７を起動するよう制御する。
2004066063.tif 000002
【特許請求の範囲】
【請求項１】
映像及び音声及びデータの少なくとも一つ以上の記録及び／または再生を行うディスク部と、
前記映像及び音声及びデータの少なくとも一つ以上を処理する処理部と、
前記ディスク部及び前記処理部を制御するディスク起動制御手段と、
前記ディスク部の起動を禁止するディスク起動禁止モード及び前記ディスク部の起動を許可するディスク起動許可モードのいずれかのモードを設定するディスク起動モード設定手段とを備え、
前記ディスク起動制御手段は、電源オン操作が行われた際、（１）前記ディスク起動モード設定手段が前記ディスク起動禁止モードを設定している場合には、前記ディスク部の起動を行なわず、前記処理部を起動するように制御し、（２）前記ディスク起動モード設定手段が前記ディスク起動許可モードを設定している場合には、前記ディスク部及び前記処理部を起動するよう制御するディスク装置。
【請求項２】
前記ディスク起動モード設定手段は、製造出荷段階で前記ディスク起動禁止モードに設定されている請求の範囲第１項記載のディスク装置。
【請求項３】
前記ディスク部は、磁気ディスク媒体に記録及び／または再生を行うハードディスクである、請求の範囲第１項記載のディスク装置。
【請求項４】
前記ハードディスクの安全領域は、前記磁気ディスク媒体上に存在する、請求の範囲第３項記載のディスク装置。
【請求項５】
前記処理部は、放送を受信するチューナである、請求の範囲第１項記載のディスク装置。
【請求項６】
ハードディスク付きのレコーダであり、
前記処理部は、放送を受信するチューナである、請求の範囲第３項記載のディスク装置。
【請求項７】
ハードディスク付きのＤＶＤレコーダであり、
前記処理部は、（１）放送を受信するチューナ及び（２）光ディスク媒体に受信した前記放送を記録及び／または再生を行う光ディスク部である、請求の範囲第３項記載のディスク装置。
【請求項８】
ハードディスク付きのテレビ受像装置であり、
前記処理部は、（１）放送を受信するチューナ及び（２）受信した前記放送を表示する表示部である、請求の範囲第３項記載のディスク装置。
【請求項９】
映像及び音声及びデータの少なくとも一つ以上の記録及び／または再生を行うディスク部と、前記映像及び音声及びデータを処理する処理部と、前記ディスク部の起動を禁止するディスク起動禁止モード及び前記ディスク部の起動を許可するディスク起動許可モードのいずれかのモードを設定するディスク起動モード設定手段とを備えたディスク装置を制御するディスク装置の制御方法であって、
電源オン操作が行われた際、（１）前記ディスク起動モード設定手段が前記ディスク起動禁止モードを設定している場合には、前記ディスク部の起動を行なわず、前記処理部を起動するように制御し、（２）前記ディスク起動モード設定手段が前記ディスク起動許可モードを設定している場合には、前記ディスク部及び前記処理部を起動するよう制御する制御ステップを備えたディスク装置の制御方法。
【請求項１０】
請求の範囲第９項記載のディスク装置の制御方法の、電源オン操作が行われた際、（１）前記ディスク起動モード設定手段が前記ディスク起動禁止モードを設定している場合には、前記ディスク部の起動を行なわず、前記処理部を起動するように制御し、（２）前記ディスク起動モード設定手段が前記ディスク起動許可モードを設定している場合には、前記ディスク部及び前記処理部を起動するよう制御する制御ステップをコンピュータに実行させるためのプログラム。
【請求項１１】
請求の範囲第１０項記載のプログラムを担持した記録媒体であって、コンピュータにより処理可能な記録媒体。
【発明の詳細な説明】
【技術分野】  本発明は、外部からの衝撃などからディスク部を保護することが出来るディスク装置、ディスク装置の制御方法、プログラム、及び記録媒体に関するものである。
【背景技術】  設置状態に関係なくディスク装置に電源を入れるとディスク部を起動させることは一般的に行われている。例えば、チューナ付きのハードディスク装置では、主電源をオン状態にすると、チューナが起動されるとともに、そのハードディスク装置のディスク部も起動される。このようにディスク部は、主電源がオン状態になると、ハードディスク装置の設置状態に関わらず起動されてきた。
一方、起動後に加速度センサーを用いて衝撃の大きさによってディスク部のメディア上に浮上しているディスクヘッドを安全領域へ待避するといったディスク部を保護する方法が、開示されている（例えば、特開平０４−６０９５６号公報参照。）。起動後に、衝撃が加わった場合、加速度センサーがこの衝撃を検知したタイミングでディスクヘッドを安全領域に待避するものである。この安全領域として、３．５インチ磁気ディスクなどの場合、ディスク上の領域が確保されている。なお、特開平０４−６０９５６号公報の文献の全ての開示は、そっくりそのまま引用する（参照する）ことにより、ここに一体化する。
しかしながら、上述のようなディスク部の保護方法においては、ディスク装置に電源を入れ、ディスク部を起動した状態でディスク装置の設置作業（例えば、設置場所の決定、アンテナやモニター接続、チューナー信号受信作業など）を行うと人為的な操作ミスなどによりディスク装置への大きな衝撃が発生し、ディスク部のメディア上に浮上しているディスクヘッドによる打痕傷がメディアに発生する、あるいはディスクヘッド自身の劣化などを引き起こすなどディスク部への障害が発生してディスク部の信頼性の確保ができなくなるという問題があった。
すなわち、メディア上にディスクヘッドの安全領域が確保される構成を持つディスク部において、ディスク部を起動してメディアを回転させた状態でディスクヘッドを安全領域に待避させている状態と、ディスク部を起動せずメディアを停止させた状態でディスクヘッドを安全領域に待避させている状態とでは、耐衝撃性が異なり、メディアを回転させている時の方が耐衝撃性が弱いことが一般的である。また、安全領域へ待避させているディスクヘッドの状態も、メディアを回転させた状態では、メディアから浮上しており、メディアを回転させていない状態では、メディア上に着地しているといった違いがある。
そして、ディスクヘッドをメディア上の安全領域に待避させている状態で強い衝撃が加わった場合、メディアが回転している状態の方が、衝撃によってメディアの安全領域に対応する部分にディスクヘッドが接触して打痕が発生するなどメディアに与える障害が大きくなる。そして、次のディスクヘッドの移動において、その打痕の状態や打痕による切りくずの振る舞いによってメディア上に傷が発生する場合がある。
従って、メディア上にディスクヘッドの安全領域が確保されているディスク部の構成において、ディスクヘッドが安全領域に待避している時にメディアが回転している状態では、ディスクヘッドが安全領域に待避している時にメディアが回転していない状態に比べて、そのときに加わる衝撃に対するディスク部の信頼性を確保出来なくなる頻度が高くなる。
すなわち、従来のディスク部の保護方法においては、ディスク装置の設置作業中に大きな衝撃が発生した場合には、ディスク部の信頼性を確保出来なくなる場合があるという課題がある。
本発明は、上記課題を考慮し、ディスク装置の設置作業中に大きな衝撃が発生した場合であっても、ディスク部の信頼性を確保することが出来るディスク装置、ディスク装置の制御方法、プログラム、及び記録媒体を提供することを目的とするものである。
【発明の開示】
上述した課題を解決するために、第１の本発明は、映像及び音声及びデータの少なくとも一つ以上の記録及び／または再生を行うディスク部と、
前記映像及び音声及びデータの少なくとも一つ以上を処理する処理部と、
前記ディスク部及び前記処理部を制御するディスク起動制御手段と、
前記ディスク部の起動を禁止するディスク起動禁止モード及び前記ディスク部の起動を許可するディスク起動許可モードのいずれかのモードを設定するディスク起動モード設定手段とを備え、
前記ディスク起動制御手段は、電源オン操作が行われた際、（１）前記ディスク起動モード設定手段が前記ディスク起動禁止モードを設定している場合には、前記ディスク部の起動を行なわず、前記処理部を起動するように制御し、（２）前記ディスク起動モード設定手段が前記ディスク起動許可モードを設定している場合には、前記ディスク部及び前記処理部を起動するよう制御するディスク装置である。
また、第２の本発明は、前記ディスク起動モード設定手段は、製造出荷段階で前記ディスク起動禁止モードに設定されている第１の本発明のディスク装置である。
また、第３の本発明は、前記ディスク部は、磁気ディスク媒体に記録及び／または再生を行うハードディスクである、第１の本発明のディスク装置である。
また、第４の本発明は、前記ハードディスクの安全領域は、前記磁気ディスク媒体上に存在する、第３の本発明のディスク装置である。
また、第５の本発明は、前記処理部は、放送を受信するチューナである、第１の本発明のディスク装置である。
また、第６の本発明は、ハードディスク付きのレコーダであり、
前記処理部は、放送を受信するチューナである、第３の本発明のディスク装置である。
また、第７の本発明は、ハードディスク付きのＤＶＤレコーダであり、
前記処理部は、（１）放送を受信するチューナ及び（２）光ディスク媒体に受信した前記放送を記録及び／または再生を行う光ディスク部である、第３の本発明のディスク装置である。
また、第８の本発明は、ハードディスク付きのテレビ受像装置であり、
前記処理部は、（１）放送を受信するチューナ及び（２）受信した前記放送を表示する表示部である、第３の本発明のディスク装置である。
また、第９の本発明は、映像及び音声及びデータの少なくとも一つ以上の記録及び／または再生を行うディスク部と、前記映像及び音声及びデータを処理する処理部と、前記ディスク部の起動を禁止するディスク起動禁止モード及び前記ディスク部の起動を許可するディスク起動許可モードのいずれかのモードを設定するディスク起動モード設定手段とを備えたディスク装置を制御するディスク装置の制御方法であって、
電源オン操作が行われた際、（１）前記ディスク起動モード設定手段が前記ディスク起動禁止モードを設定している場合には、前記ディスク部の起動を行なわず、前記処理部を起動するように制御し、（２）前記ディスク起動モード設定手段が前記ディスク起動許可モードを設定している場合には、前記ディスク部及び前記処理部を起動するよう制御する制御ステップを備えたディスク装置の制御方法である。
また、第１０の本発明は、第９の本発明のディスク装置の制御方法の、電源オン操作が行われた際、（１）前記ディスク起動モード設定手段が前記ディスク起動禁止モードを設定している場合には、前記ディスク部の起動を行なわず、前記処理部を起動するように制御し、（２）前記ディスク起動モード設定手段が前記ディスク起動許可モードを設定している場合には、前記ディスク部及び前記処理部を起動するよう制御する制御ステップをコンピュータに実行させるためのプログラムである。
また、第１１の本発明は、第１０の本発明のプログラムを担持した記録媒体であって、コンピュータにより処理可能な記録媒体である。
【図面の簡単な説明】  第１図は、本発明の実施の形態におけるディスク装置を示す図である。
第２図は、本発明の実施の形態におけるディスク起動許可禁止モード情報の設定動作のフローを示す図である。
第３図は、本発明の実施の形態におけるディスクの起動及び起停止動作のフローを示す図である。
第４図は、本発明の実施の形態におけるディスク起動許可禁止モード情報を設定するＧＵＩの一例を示す図である。
第５図は、本発明の実施の形態におけるディスク装置の電源と電源に関連する部分の概要を示す図である。
第６図は、本発明の実施の形態におけるディスク装置の電源と電源に関連する部分の概要を示す図である。
第７図は、本発明の実施の形態におけるディスク装置の電源と電源に関連する部分の概要を示す図である。
第８図は、本発明の実施の形態におけるディスク装置の電源と電源に関連する部分の概要を示す図である。
【符号の説明】
１１  キー入力手段
１２  ハードディスク
１３  ディスク起動制御手段
１４  ディスク起動モード設定手段
１５  不揮発性記憶媒体
１６  表示手段
１７  処理部
【発明を実施するための最良の形態】  以下に、本発明の実施の形態を図面を参照して説明する。
第１図は、本発明の実施の形態によるディスク装置の構成を説明するための図である。以下、第１図を用いて上記ディスク装置の構成を説明する。
本実施の形態のディスク装置は、キー入力手段１１、ハードディスク１２、ディスク起動制御手段１３、ディスク起動モード設定手段１４、不揮発性記憶媒体１５、表示手段１６、及び処理部１７を備えている。
キー入力手段１１は、リモコンや本体操作釦などのキー入力の検出を行う手段である。ハードディスク１２は、入力されたデータを磁気ディスク媒体に記録したり、磁気ディスク媒体に記録されたデータを再生したりする手段である。ディスク起動制御手段１３はハードディスク１２の起動または停止動作を行う手段である。ディスク起動モード設定手段１４は、ハードディスク１２の起動を許可するか禁止するかを示すディスク起動許可禁止モード情報の設定をキー入力手段１１から入力されるキー入力情報に基づいて行う手段である。不揮発性記憶媒体１５は、前記ディスク起動許可禁止モード情報を記憶する手段である。表示手段１６は、前記ディスク起動動許可禁止モード情報の表示あるいは、前記ディスク起動許可禁止モード情報の設定を行うときの操作手順に関する表示をするための手段である。処理部１７は、映像、音声を受信するチューナの機能などハードディスク１２以外の機能を有する手段である。
なお、本実施の形態のハードディスク１２は本発明のディスク部の例である。
次に、このような本実施の形態の動作を説明する。
まず、第１図、第２図及び第３図を用いて、本実施の形態によるディスク装置の動作について説明する。
第２図および第３図は第１図で示されたディスク装置を実現するためのソフトウェアのフローチャートである。すなわち、第２図は第１図のディスク起動モード設定手段１４におけるディスク起動許可禁止モード情報の設定動作を示すフローチャートであり、第３図は第１図のディスク起動制御手段１３におけるハードディスクの起動及び起動停止動作を示すフローチャートである。第２図のフローチャート及び第３図のフローチャートは、キー入力手段１１がキー入力情報を検出したタイミングで、検出されたキー入力情報の種類に応じて動作するよう構成されている。
まず、キー入力手段１１がユーザによるキー入力発生時にキー入力情報の検出を行う（ステップ２ａ）。すなわち、ステップ２ａにおいて、キー入力手段１４が、ユーザによるキー入力手段１１へのキー入力が行われることにより、キー入力手段１１がキー入力情報を検出した場合には、ステップ２ｂに進む。一方、ステップ２ａにおいて、キー入力手段１１が、ユーザによるキー入力手段１１へのキー入力が行われなかったために、キー入力情報を検出しなかった場合には、ステップ２ｍへ進む。
ステップ２ｂにおいて、ディスク起動モード設定手段１４は、入力されたキー入力情報が、製造出荷段階などにキー入力される出荷設定情報かどうかの判定を行う。そして、ディスク起動モード設定手段１４は、キー入力情報が出荷設定情報であると判断した場合には、ステップ２ｆに進む。そして、ステップ２ｆにおいて、ディスク起動モード設定手段１４は、強制的に前記ディスク起動許可禁止モード情報をディスク起動禁止モードに設定して、ステップ２ｇに進む。ステップ２ｇにおいて、ディスク起動モード設定手段１４は、不揮発性記憶媒体１５へその設定した情報を記憶させて、ステップ２ｋに進む。ステップ２ｋにおいて、表示手段１６は、ユーザがディスク装置を操作する際の確認のために前記ディスク起動許可禁止モード情報を数秒間表示して、ステップ２ｍに進む。
なお、出荷設定情報とは、本実施の形態のディスク装置が工場から出荷される際にキー入力手段１１によりキー入力される情報である。もちろんキー入力手段１１によりキー入力することにより本実施の形態のディスク装置が工場から出荷された後に、ユーザによって使用されている際にも出荷設定情報を入力しても構わない。すなわち、出荷設定情報が入力された場合、本実施の形態のディスク装置の電源を再度入れた場合、強制的にディスク起動許可禁止モード情報がディスク起動禁止モードに設定される。
一方、前記ステップ２ｂにおいて、ディスク起動モード設定手段１４は、出荷設定情報でないと判断した場合は、通常動作モードと判定し、ステップ２ｃに進む。ステップ２ｃにおいて、ディスク起動モード設定手段１４は、キー入力情報がディスク起動モード設定に関する情報かどうかの判定を行う。そして、ディスク起動モード設定手段１４が、キー入力情報がディスク起動モード設定に関する情報であると判定した場合、ステップ２ｄに進み、ディスク起動モード設定手段１４が、キー入力情報がディスク起動モード設定に関する情報ではないと判定した場合、ステップ２ｍに進む。ここで、ディスク起動モード設定に関する情報とは、ディスク起動許可禁止モード情報を設定するための情報である。すなわち、ディスク起動許可禁止モード情報を設定するために予め決められている方法に従ってユーザがキー入力手段１１にキー入力した場合のキー入力情報がディスク起動モード設定に関する情報である。具体的には、操作パネルまたはリモコンの所定のボタンを長押しすることにより得られる情報や、起動モードを設定するためのボタンを押したことにより得られる情報や、起動モードを設定するためにＧＵＩを表示した情報などが、ディスク起動モード設定に関する情報になる。第４図に、ディスク起動許可禁止モード情報を設定するＧＵＩ（Ｇｒａｐｈｉｃａｌ  Ｕｓｅｒ  Ｉｎｔｅｒｆａｃｅ）２１の例を示す。第４図において、許可２２を選択すると、ディスク起動許可禁止モード情報として「許可モード」を設定することが出来、禁止２３を選択すると、ディスク起動許可禁止モード情報として「禁止モード」を設定することが出来る。また、設定したモードを確定する場合には、ＯＫ２４を選択し、設定した内容を取り消す場合にはＣａｎｃｅｌ２５を選択すればよい。
ステップ２ｄおいて、表示手段１４は、すでに不揮発性記憶媒体１５に記憶されている前記ディスク起動許可禁止モード情報並びに前記ディスク起動許可禁止モード情報の設定変更の操作方法に関する情報などの表示を行う。続いて、ユーザが、表示されたディスク起動許可禁止モード情報の設定変更の操作方法に関する情報に基づいて、ディスク起動許可禁止モード情報を設定すると、ステップ２ｅに進む。ステップ２ｅにおいて、ディスク起動モード設定手段１４は、ユーザにより設定されたディスク許可禁止モード情報の判定を行う。すなわち、ディスク起動モード設定手段１４が、ユーザにより設定されたディスク起動許可禁止モード情報が「許可」モードであると判定した場合、ステップ２ｉに進み、ディスク起動モード設定手段１４が、ユーザにより設定されたディスク起動許可禁止モード情報が「禁止モード」であると判定した場合、ステップ２ｆに進む。
ステップ２ｉにおいて、ディスク起動モード設定手段１４は、前記ディスク起動許可禁止モード情報をディスク起動許可モードに確定して、ステップ２ｊに進む。ステップ２ｊにおいて、確定した前記ディスク起動許可禁止モード情報を不揮発性記憶媒体１５へ記憶させ、ステップ２ｋに進む。ステップ２ｋにおいて、表示手段１６は、操作の確認のために前記ディスク起動許可禁止モード情報を数秒間表示して、ステップ２ｍに進む。
その後、ステップ２ｍにおいて、ディスク起動許可禁止モードの判断処理やディスク起動停止判断処理を行うために必要な電源供給の有無を判定する。ディスク起動許可禁止モードの判断処理やディスク起動停止判断処理を行うために必要な電源供給が行われていると判定された場合は、上述したステップ２ａに進み、そのような電源供給が行われていると判定されなかった場合には、処理を終了する。
以上、第２図のフローチャートに基づく動作について説明した。次に、第３図のフローチャートに基づく動作について説明する。
第３図において、キー入力発生時にキー入力手段１１においてキー入力情報の検出を行う（ステップ３ａ）。すなわち、ステップ３ａにおいて、ユーザによるキー入力手段１１へのキー入力が行われることにより、キー入力手段１１がキー入力情報を検出した場合には、ステップ３ｂに進む。一方、ステップ３ａにおいて、キー入力手段１１が、ユーザによるキー入力手段１１へのキー入力が行われなかったために、キー入力手段１１がキー入力情報を検出しなかった場合には、ステップ３ｉへ進む。
ステップ３ｂにおいて、ディスク起動制御手段１３は、キー入力手段１１からのキー入力情報が電源ＯＮや電源ＯＮに連動した書き込みや読み出し指令などである通常動作におけるディスク起動指令情報かどうかを判断する。なお、ディスク起動指令情報とは、ユーザが通常録画再生するための電源ＯＮや、ユーザデータのハードディスク１２への書き込みや、ユーザデータのハードディスク１２からの読み出しや、ユーザデータのハードディスク１２からの削除などの通常ハードディスク１２を操作するコマンド群を言う。また、ディスク起動指令情報以外とは、ユーザが電源を切るために電源をＯＦＦにする指令や、強制的にハードディスク１２の起動を停止させる指令を言う。そして、ディスク起動制御手段１３が、キー入力情報が電源ＯＮや電源ＯＮに連動した書き込みや読み出し指令などである通常動作におけるディスク起動指令情報であると判断した場合には、ディスク起動制御手段１３は、まず、処理部１７を起動する。
そして、ステップ３ｂにおいて、ディスク起動制御手段１３が、キー入力情報が電源ＯＮなどと連動した通常動作におけるディスク起動指令情報であると判断した場合、ディスク起動制御手段１３は、さらに不揮発性記憶媒体１５において保持している前記ディスク起動許可禁止モード情報を読み出し、ステップ３ｃに進む。ステップ３ｃにおいて、ディスク起動制御手段１３は、ディスク起動許可禁止モード情報がディスク起動許可モードかどうかの判定を行う。そして、ディスク起動制御手段１３は、ディスク起動許可禁止モード情報が「ディスク起動許可モード」であると判定した場合、ステップ３ｄに進み、そうでないと判定した場合、ステップ３ｅに進む。
ステップ３ｄにおいて、ディスク起動制御手段１３は、ハードディスク１２に対してディスク起動処理を行い、ステップ３ｉに進む。一方、ステップ３ｅにおいて、ディスク起動制御手段１３は、ハードディスク１２が起動している場合にはディスク起動停止処理を行い、ハードディスク１２が停止している場合には、そのままステップ３ｆに進む。ステップ３ｆにおいて、表示手段１６は、前記ディスク起動許可禁止モード情報がディスク起動禁止モードになっているメッセージを数秒間表示して、ユーザに通常操作状態と異なることを通知して、ステップ３ｉに進む。
一方、ステップ３ｂにおいて、ディスク起動制御手段１３が、キー入力情報が電源ＯＮなどと連動した通常動作におけるディスク起動指令情報でないと判断した場合、ステップ３ｈに進む。そして、ステップ３ｈにおいて、ディスク起動制御手段１３は、ディスク起動停止情報かどうかを判断する。そして、ディスク起動制御手段１３は、ステップ３ｈにおいて、ディスク起動停止情報であると判断した場合は、ステップ３ｇに進み、そうでないと判断した場合には、ステップ３ｉに進む。なお、ディスク起動停止情報かどうかの判定は、ディスク起動制御手段１３がキー入力情報を解析して判定する。例えばユーザが、ディスク装置の操作パネルやリモコンに設けられた、ディスク装置の電源をＯＦＦ状態にするためのボタンを押した場合に、キー入力手段１１によって検出されるキー入力情報がディスク起動停止情報である。
そして、ステップ３ｇにおいて、ディスク起動制御手段１３は、ディスクの起動停止処理を行い、ハードディスク１２の起動を停止させ、ステップ３ｉに進む。
その後、ステップ３ｉにおいて、ディスク起動許可禁止モードの判断処理やディスク起動停止判断処理を行うために必要な電源供給の有無を判定する。ディスク起動許可禁止モードの判断処理やディスク起動停止判断処理を行うために必要な電源供給が行われていると判定された場合は、上述したステップ３ａに進み、そのような電源供給が行われていると判定されなかった場合には、処理を終了する。
上述したように、ディスク起動許可禁止モード情報がディスク起動許可モードである場合には、本実施の形態のディスク装置の電源をＯＮ状態にした場合に処理部１７の電源がＯＮ状態にされるとともに、ハードディスク１２の電源もＯＮ状態になる。また、ディスク起動許可禁止モード情報がディスク起動禁止モードである場合には、本実施の形態のディスク装置の電源をＯＮ状態にした場合に処理部１７の電源はＯＮ状態になるが、ハードディスク１２の電源はＯＦＦ状態のままになる。このようにディスク起動許可禁止モード情報によって、ディスク装置の電源がＯＮ状態にされた場合に、ハードディスク１２の電源をＯＮ状態にするかＯＦＦ状態にするかが決定される。
このようにディスク起動モード設定手段１４は、ハードディスク１２の起動を禁止するディスク起動禁止モード及びハードディスク１２の起動を許可するディスク起動許可モードのいずれかのモードを設定し、ディスク起動制御手段１３は、電源オン操作が行われた際、ディスク起動モード設定手段１４がディスク起動禁止モードを設定している場合には、ハードディスク１２の起動を行なわず、処理部１７を起動するように制御し、ディスク起動モード設定手段１４がディスク起動許可モードを設定している場合には、ハードディスク１２及び処理部１７を起動するよう制御する。
上述したようにディスク装置は動作するが、さらに、第５図〜第８図を参照して、ディスク装置がどのようにして使用されるかについて時系列で説明する。
第５図〜第８図は、ディスク装置が工場から出荷される前から、出荷後にユーザ宅でユーザによって設置作業が行われ、その後ユーザが実際にディスク装置を使用するまでの電源３１と電源３１に関連する部分の概要を示す図である。なお、第５図〜第８図に示すディスク装置は、電源３１をハードディスク１２に通電した場合に自動的にディスク装置のハードディスク１２の磁気ディスク媒体を回転させるためのコマンドを発行し、このコマンドに従って、ハードディスク１２の磁気ディスク媒体が、電源３１がハードディスク１２に通電された際に回転するようなディスク装置である。
第５図〜第８図において、ディスク装置は、電源３１、電源スイッチ３２、スイッチ３３、及びスイッチ３４を備えている。
電源３１は、ディスク装置を起動する電力を供給する手段である。電源スイッチ３２は、ディスク装置全体を起動及び停止させるためのスイッチである。スイッチ３３は、ディスク起動制御手段１３による制御に応じて、ハードディスク１２と電源３１との接続を導通状態にするか導通していない状態にするかを切り替える回路である。スイッチ３４は、ディスク起動制御手段１３による制御に応じて、処理部１７と電源３１との接続を導通状態にするか導通していない状態にするかを切り替える回路である。
まず、ディスク装置は、工場で製造される。製造されると、キー入力手段１１にキー入力情報として出荷設定情報が入力される。ディスク装置のキー入力手段１１に出荷設定情報が入力されると、不揮発性記憶媒体１５には、ディスク起動禁止モードが記憶される。第５図は、ディスク装置の不揮発性記憶媒体１５にディスク起動禁止モードが記憶された、出荷される直前のディスク装置を示すものである。このとき電源スイッチ３２はＯＦＦ状態であり、スイッチ３３及びスイッチ３４は導通しない状態に設定されている。従って、第５図のディスク装置は、起動停止の状態にある。
次に、第５図のディスク装置がユーザ宅に運送される。ユーザは運送されてきたディスク装置の梱包を解き、電源３１の図示していない電源コンセントを商用電源に接続する。そして、ユーザは、電源スイッチ３２を押すことにより電源スイッチ３２をＯＮ状態にする。第６図に電源スイッチ３２がＯＮ状態にされた直後のディスク装置を示す。第６図において、電源スイッチ３２がＯＮ状態になると、ディスク起動制御手段１３は、第２図及び第３図で説明したフローチャートに従って動作する。第６図の不揮発性記憶媒体１５には、ディスク起動禁止モードが記憶されている。そして、第６図では、スイッチ３３は導通しない状態であり、スイッチ３４は導通する状態になっている。すなわち、ハードディスク１２には電力が供給されず、処理部１７には電力が供給されている。つまり、ユーザが工場出荷後初めて電源スイッチ３２をＯＮ状態にした場合には、ハードディスク１２は起動されず、処理部１７のみが起動される。
この状態で、ユーザは、希望する設置場所にディスク装置を設置する作業、アンテナやモニターをディスク装置に接続する作業、及びディスク装置のチューナーの信号受信作業などを行う。第６図の状態では、ハードディスク１２が起動されていないので、このような作業を行っても非常に大きな衝撃が加わった場合を除いてハードディスク１２の信頼性を損なうことはない。従って、ユーザは安心してこのような作業を行うことが出来る。
次に、このような設置作業が完了すると、ユーザは、例えば第４図のＧＵＩ２１を操作して、許可２２を選択し、さらにＯＫ２４を選択する。そうすると、ディスク起動許可禁止モード情報がディスク起動許可モードに設定される。このような操作をした後、ユーザは、電源スイッチ３２をＯＦＦ状態にする。すなわち、ディスク装置の起動を停止する。
第７図は、ユーザによる設置作業が完了し、さらにディスク起動許可禁止モード情報がディスク起動許可モードに設定され、電源３２がＯＦＦ状態にされた時のディスク装置である。第７図では、電源スイッチ３２はＯＦＦ状態になっており、スイッチ３３及びスイッチ３４はともに導通していない状態に設定されている。そして、不揮発性記憶媒体１５には、ディスク起動許可モードが記憶されている。
次に、ユーザが、ディスク装置を使用する際、ユーザは、ディスク装置の処理部１７で放送を受信したり、処理部１７で受信した放送をハードディスク１２に記録したりするために、電源スイッチ３２をＯＮ状態にする。そうすると、第３図のフローチャートに従ってディスク装置が動作することにより、ディスク装置は第８図のような状態になる。第８図において、電源スイッチ３２はＯＮ状態になっており、スイッチ３３及びスイッチ３４はともに導通状態になる。また、不揮発性記憶媒体１５にはディスク許可禁止モード情報として、ディスク起動許可モードが設定されている。すなわち、第８図の状態では、電源スイッチ３２をＯＮ状態にすると、ハードディスク１２及び処理部１７がともに起動される。従って、ユーザはディスク装置を使用して、放送を受信したり、受信した放送をハードディスク１２に記録したりすることが出来るようになる。以上、ディスク装置がどのように使用されるかについて時系列で説明した。
このようなディスク装置の一例として、チューナ機能付きのハードディスク装置がある。チューナ機能付きのハードディスク装置などのディスク装置をユーザが購入した場合、ユーザは、まず購入したディスク装置の設置を行う。
ユーザは、希望する設置場所にディスク装置を設置する作業、アンテナやモニターをディスク装置に接続する作業、及びディスク装置のチューナーの信号受信作業などを行う。そして、このような作業を行う際には、ディスク装置の電源をオン状態にする必要がある。
このような作業をする場合であっても、上記第２図及び第３図で説明した動作を行うにより、ディスク装置のハードディスク１２を起動させずにユーザが上記の作業を行うことが出来る。従って、作業中にディスク装置に大きな衝撃がかかってもハードディスク１２を安全に保護することが出来る。
また、上述したように、製造出荷時には、ディスク装置は、製造出荷段階における出荷設定モードに設定されるので、製造出荷後初めてディスク装置の電源をオン状態にした場合、強制的に前記ディスク起動許可禁止モード情報がディスク起動禁止モードに設定される。
従って、ユーザが設置作業を行うために初めてディスク装置の電源をオン状態にした場合には、ディスク起動許可禁止モード情報がディスク起動禁止モードに設定されるので、ユーザは、ディスク装置のディスク起動許可禁止モード情報をディスク起動禁止モードに設定する操作を行うことなく、即設置作業にとりかかることが出来る。
そして、設置作業が終了した時点でユーザがディスク許可禁止モード情報をディスク起動許可モードに設定することにより、映像や音声などをハードディスク１２に記録及び再生することが出来るようになる。
このように、本実施の形態によれば、ディスク装置の設置作業時などハードディスク１２の起動をさせることが望ましくない場合にハードディスク１２の起動を禁止させておき、設置完了した後ハードディスク１２の起動を許可し、ハードディスク１２を使用可能にすることにより、設置作業中にハードディスク１２を保護することが出来る。
このように、第５図〜第８図で説明したディスク装置は、電源３１をハードディスク１２に通電した場合に自動的にディスク装置のハードディスク１２の磁気ディスク媒体を回転させるためのコマンドを発行し、このコマンドに従って、ハードディスク１２の磁気ディスク媒体が、電源３１がハードディスク１２に通電された際に回転するようなディスク装置であった。このようなディスク装置の設置作業中には上述したようにすることにより安全にディスク装置を保護することが出来る。本発明のディスク装置が、このようなディスク装置の場合には、本発明のディスク部の起動を行うとは、本発明のディスク部の電源をＯＮ状態にすることを意味する。
なお、本実施の形態では、第５図〜第８図で説明したように、電源３１をハードディスク１２に通電した場合に自動的にディスク装置のハードディスク１２の磁気ディスク媒体を回転させるためのコマンドを発行し、このコマンドに従って、ハードディスク１２の磁気ディスク媒体が、電源３１がハードディスク１２に通電された際に回転するようなディスク装置について説明したが、これに限らない。以下に説明するように様々なタイプのディスク装置で設置作業中に安全にディスク装置を保護することが出来る。
すなわち、ディスク装置が、ハードディスク１２に電源３１を通電した場合に自動的にディスク装置のハードディスク１２の磁気ディスク媒体を回転させるためのコマンドを発行しないようなディスク装置である場合、予期しないタイミングで磁気ディスク媒体を回転するためのコマンドが発行されてしまう場合がある。従って、このようなディスク装置の場合であっても、上記と同様に設置作業中にディスク装置のハードディスク１２に通電しないようにすることにより設置作業中に安全にディスク装置を保護することが出来る。従って、本発明のディスク装置が、このようなディスク装置の場合には、本発明のディスク部の起動を行うとは、本発明のディスク部の電源をＯＮ状態にすることを意味する。
また、ディスク装置がハードディスク１２に電源３１を通電した場合に自動的にディスク装置のハードディスク１２の磁気ディスク媒体を回転させるためのコマンドを発行しないようなディスク装置である場合、第５図〜第８図で説明した方法とは異なった方法でディスク装置の設置作業中に安全にディスク装置を保護することも出来る。すなわち、第５図〜第８図で説明した方法とは異なり、ディスク装置の設置作業を行う際に、ハードディスク１２に電源３１を通電する。ただし、設置作業中にハードディスク１２に電源３１を通電した場合には、予期しないタイミングで磁気ディスク媒体を回転するためのコマンドが発行される場合があるとディスク装置を安全に保護することは出来ない。従ってこのようなディスク装置の場合、設置作業中には、ディスク装置が、ハードディスク１２の磁気ディスク媒体を回転させるためのコマンドを発行しないようにする。このようにすれば、設置作業中には、ハードディスク１２に電源３１が通電されても、ハードディスク１２の磁気ディスク媒体を回転させるためのコマンドが発行されないので、ハードディスク１２の磁気ディスク媒体が回転しない。従って、設置作業中にディスク装置を保護することが出来る。従って、本発明のディスク装置が、このようなディスク装置の場合には、本発明のディスク部の起動を行うとは、本発明のディスク部の電源をＯＮ状態にした後本発明のディスク部のメディアを回転させることを意味する。
また、ディスク装置の電源をＯＮ状態にしても、ハードディスク１２の磁気ディスク媒体などのメディアを回転させるためのコマンドが発せられるまではメディアが回転しないようなディスク装置の場合、さらに、このディスク装置がハードディスク１２の電源をＯＮ状態にすることによって、ハードディスク１２の電源がＯＦＦ状態の場合より、ディスクヘッドが動きやすくなるような機構を有する場合には、設置作業中にハードディスク１２に通電しないようにすることにより、設置作業中にハードディスク１２を保護することが出来、ハードディスク１２の信頼性を向上させることが出来る。従って、本発明のディスク装置が、このようなディスク装置の場合には、本発明のディスク部の起動を行うとは、本発明のディスク部の電源をＯＮ状態にすることによって、本発明のディスク部のディスクヘッドが電源ＯＦＦ状態の場合より動きやすくなることを意味する。
なお、上記の実施の形態では、一度前記ディスク起動許可禁止モード情報を「ディスク起動許可モード」に設定した後でも、ユーザによるキー入力操作でディスク起動許可禁止モード情報を再び「ディスク起動禁止モード」に設定することができ、再度設置作業などを行う場合に、ハードディスク１２の起動モードを簡単にディスク起動禁止モードにすることで安心して作業を行うことができる。
なお、本発明のディスク装置は、本実施の形態における、チューナの機能を有する処理部１７とハードディスク１２とを有するディスク装置に限らない。処理部１７が、放送を受信するチューナの機能及び光ディスク媒体に受信した放送を記録及び／または再生を行う光ディスク部の機能を有し、ハードディスク１２が、磁気ディスク媒体に記録及び／または再生を行う機能を有するＤＶＤレコーダであっても構わない。また処理部１７が、放送を受信するチューナの機能及び受信した放送を液晶ディスプレイなどのディスプレイに表示する表示部の機能を有し、ハードディスク１２が、磁気ディスク媒体に記録及び／または再生を行う機能を有するテレビ受像装置であっても構わない。
要するに、本発明のディスク装置は、本発明のディスク部のメディアが回転していない時より本発明のディスク部のメディアが回転している時の方が衝撃に弱いディスク部を有する装置でありさえすればよく、本発明の処理部は、本発明のディスク部以外の任意の機能を果たすもでありさえすればよい。
このように、本実施の形態によれば、ディスク装置の製造出荷段階においては、ハードディスク１２のディスク起動許可禁止モード情報をディスク起動禁止モードに設定し、購入されたユーザによるディスク制御装置の設置作業を完了した後、明示的なユーザ操作でハードディスク１２のディスク起動許可禁止モード情報の設定をディスク起動許可モードにするすなわち通常の動作可能状態に変更させることにより、前記設置作業中にディスク制御装置に衝撃がかかった場合でもハードディスク１２の起動を禁止することで、非常に大きな衝撃が加わった場合を除いてハードディスク１２への障害をなくすことができる。
すなわち、ハードディスクなどのハードディスク１２の起動モードを製造出荷段階において「ディスク起動禁止モード」に設定することで、ユーザが購入した後の最初の設置作業などで、通常の電源オン操作を行っても製造出荷段階ですでに前記ディスク起動許可禁止モード情報が「ディスク起動禁止モード」になっているため、ハードディスク１２の起動は行われず、前記設置作業中にハードディスク１２への衝撃や振動が発生しても、非常に大きな衝撃が加わった場合を除いてハードディスク１２への障害なくすことができ、ハードディスク１２の信頼性を確保することができる。また、一度前記ディスク起動モード情報を「ディスク起動許可モード」に変更した後でも、再度「ディスク起動禁止モード」設定に変更にすることで、購入後の再設置作業においても、同様の効果を得ることができる。
尚、本発明のプログラムは、上述した本発明のディスク装置の制御方法の全部又は一部のステップ（又は、工程、動作、作用等）の動作をコンピュータにより実行させるためのプログラムであって、コンピュータと協働して動作するプログラムである。
又、本発明の記録媒体は、上述した本発明のディスク装置の制御方法の全部又は一部のステップ（又は、工程、動作、作用等）の全部又は一部の動作をコンピュータにより実行させるためのプログラムを担持した記録媒体であり、コンピュータにより読み取り可能且つ、読み取られた前記プログラムが前記コンピュータと協動して前記動作を実行する記録媒体である。
尚、本発明の上記「一部の手段（又は、装置、素子等）」とは、それらの複数の手段の内の、一つ又は幾つかの手段を意味し、本発明の上記「一部のステップ（又は、工程、動作、作用等）」とは、それらの複数のステップの内の、一つ又は幾つかのステップを意味する。
又、本発明の上記「手段（又は、装置、素子等）の機能」とは、前記手段の全部又は一部の機能を意味し、本発明の上記「ステップ（又は、工程、動作、作用等）の動作」とは、前記ステップの全部又は一部の動作を意味する。
又、本発明のプログラムの一利用形態は、コンピュータにより読み取り可能な記録媒体に記録され、コンピュータと協働して動作する態様であっても良い。
又、本発明のプログラムの一利用形態は、伝送媒体中を伝送し、コンピュータにより読みとられ、コンピュータと協働して動作する態様であっても良い。
又、本発明のデータ構造としては、データベース、データフォーマット、データテーブル、データリスト、データの種類などを含む。
又、記録媒体としては、ＲＯＭ等が含まれ、伝送媒体としては、インターネット等の伝送媒体、光・電波・音波等が含まれる。
又、上述した本発明のコンピュータは、ＣＰＵ等の純然たるハードウェアに限らず、ファームウェアや、ＯＳ、更に周辺機器を含むものであっても良い。
尚、以上説明した様に、本発明の構成は、ソフトウェア的に実現しても良いし、ハードウェア的に実現しても良い。
【産業上の利用可能性】  以上説明したところから明らかなように、本発明は、ディスク装置の設置作業中に大きな衝撃が発生した場合であっても、ディスク部の信頼性を確保することが出来るディスク装置、ディスク装置の制御方法、プログラム、及び記録媒体を提供することが出来る。
【図１】
2004066063.tif 000003
【図２】
2004066063.tif 000004
【図３】
2004066063.tif 000005
【図４】
2004066063.tif 000006
【図５】
2004066063.tif 000007
【図６】
2004066063.tif 000008
【図７】
2004066063.tif 000009
【図８】
2004066063.tif 000010
【手続補正書】
【提出日】平成17年8月17日(2005.8.17)
【手続補正１】
【補正対象書類名】特許請求の範囲
【補正対象項目名】全文
【補正方法】変更
【補正の内容】
【特許請求の範囲】
【請求項１】
映像及び音声及びデータの少なくとも一つ以上の記録及び／または再生を行うディスク部と、
前記映像及び音声及びデータの少なくとも一つ以上を処理する処理部と、
前記ディスク部及び前記処理部を制御するディスク起動制御手段と、
前記ディスク部の起動を禁止するディスク起動禁止モード及び前記ディスク部の起動を許可するディスク起動許可モードのいずれかのモードを設定するディスク起動モード設定手段とを備え、
前記ディスク起動制御手段は、電源オン操作が行われた際、（１）前記ディスク起動モード設定手段が前記ディスク起動禁止モードを設定している場合には、前記ディスク部の起動を行なわず、前記処理部を起動するように制御し、（２）前記ディスク起動モード設定手段が前記ディスク起動許可モードを設定している場合には、前記ディスク部及び前記処理部を起動するよう制御するディスク装置。
【請求項２】
前記ディスク起動モード設定手段は、製造出荷段階で前記ディスク起動禁止モードに設定されている請求項１記載のディスク装置。
【請求項３】
前記ディスク部は、磁気ディスク媒体に記録及び／または再生を行うハードディスクである、請求項１記載のディスク装置。
【請求項４】
前記ハードディスクの安全領域は、前記磁気ディスク媒体上に存在する、請求項３記載のディスク装置。
【請求項５】
前記処理部は、放送を受信するチューナである、請求項１記載のディスク装置。
【請求項６】
ハードディスク付きのレコーダであり、
前記処理部は、放送を受信するチューナである、請求項３記載のディスク装置。
【請求項７】
ハードディスク付きのＤＶＤレコーダであり、
前記処理部は、（１）放送を受信するチューナ及び（２）光ディスク媒体に受信した前記放送を記録及び／または再生を行う光ディスク部である、請求項３記載のディスク装置。
【請求項８】
ハードディスク付きのテレビ受像装置であり、
前記処理部は、（１）放送を受信するチューナ及び（２）受信した前記放送を表示する表示部である、請求項３記載のディスク装置。
【請求項９】
映像及び音声及びデータの少なくとも一つ以上の記録及び／または再生を行うディスク部と、前記映像及び音声及びデータを処理する処理部と、前記ディスク部の起動を禁止するディスク起動禁止モード及び前記ディスク部の起動を許可するディスク起動許可モードのいずれかのモードを設定するディスク起動モード設定手段とを備えたディスク装置を制御するディスク装置の制御方法であって、
電源オン操作が行われた際、（１）前記ディスク起動モード設定手段が前記ディスク起動禁止モードを設定している場合には、前記ディスク部の起動を行なわず、前記処理部を起動するように制御し、（２）前記ディスク起動モード設定手段が前記ディスク起動許可モードを設定している場合には、前記ディスク部及び前記処理部を起動するよう制御する制御ステップを備えたディスク装置の制御方法。
【請求項１０】
請求項９記載のディスク装置の制御方法の、電源オン操作が行われた際、（１）前記ディスク起動モード設定手段が前記ディスク起動禁止モードを設定している場合には、前記ディスク部の起動を行なわず、前記処理部を起動するように制御し、（２）前記ディスク起動モード設定手段が前記ディスク起動許可モードを設定している場合には、前記ディスク部及び前記処理部を起動するよう制御する制御ステップをコンピュータに実行させるためのプログラム。
【請求項１１】
請求項１０記載のプログラムを担持した記録媒体であって、コンピュータにより処理可能な記録媒体
【手続補正２】
【補正対象書類名】明細書
【補正対象項目名】全文
【補正方法】変更
【補正の内容】
【発明の詳細な説明】
【技術分野】
【０００１】
本発明は、外部からの衝撃などからディスク部を保護することが出来るディスク装置、ディスク装置の制御方法、プログラム、及び記録媒体に関するものである。
【背景技術】
【０００２】
設置状態に関係なくディスク装置に電源を入れるとディスク部を起動させることは一般的に行われている。例えば、チューナ付きのハードディスク装置では、主電源をオン状態にすると、チューナが起動されるとともに、そのハードディスク装置のディスク部も起動される。このようにディスク部は、主電源がオン状態になると、ハードディスク装置の設置状態に関わらず起動されてきた。
【０００３】
一方、起動後に加速度センサーを用いて衝撃の大きさによってディスク部のメディア上に浮上しているディスクヘッドを安全領域へ待避するといったディスク部を保護する方法が、開示されている（例えば、特許文献１参照。）。起動後に、衝撃が加わった場合、加速度センサーがこの衝撃を検知したタイミングでディスクヘッドを安全領域に待避するものである。この安全領域として、３．５インチ磁気ディスクなどの場合、ディスク上の領域が確保されている。なお、特許文献１の文献の全ての開示は、そっくりそのまま引用する（参照する）ことにより、ここに一体化する。
【特許文献１】特開平０４−６０９５６号公報
【発明の開示】
【発明が解決しようとする課題】
【０００４】
しかしながら、上述のようなディスク部の保護方法においては、ディスク装置に電源を入れ、ディスク部を起動した状態でディスク装置の設置作業（例えば、設置場所の決定、アンテナやモニター接続、チューナー信号受信作業など）を行うと人為的な操作ミスなどによりディスク装置への大きな衝撃が発生し、ディスク部のメディア上に浮上しているディスクヘッドによる打痕傷がメディアに発生する、あるいはディスクヘッド自身の劣化などを引き起こすなどディスク部への障害が発生してディスク部の信頼性の確保ができなくなるという問題があった。
【０００５】
すなわち、メディア上にディスクヘッドの安全領域が確保される構成を持つディスク部において、ディスク部を起動してメディアを回転させた状態でディスクヘッドを安全領域に待避させている状態と、ディスク部を起動せずメディアを停止させた状態でディスクヘッドを安全領域に待避させている状態とでは、耐衝撃性が異なり、メディアを回転させている時の方が耐衝撃性が弱いことが一般的である。また、安全領域へ待避させているディスクヘッドの状態も、メディアを回転させた状態では、メディアから浮上しており、メディアを回転させていない状態では、メディア上に着地しているといった違いがある。
【０００６】
そして、ディスクヘッドをメディア上の安全領域に待避させている状態で強い衝撃が加わった場合、メディアが回転している状態の方が、衝撃によってメディアの安全領域に対応する部分にディスクヘッドが接触して打痕が発生するなどメディアに与える障害が大きくなる。そして、次のディスクヘッドの移動において、その打痕の状態や打痕による切りくずの振る舞いによってメディア上に傷が発生する場合がある。
【０００７】
従って、メディア上にディスクヘッドの安全領域が確保されているディスク部の構成において、ディスクヘッドが安全領域に待避している時にメディアが回転している状態では、ディスクヘッドが安全領域に待避している時にメディアが回転していない状態に比べて、そのときに加わる衝撃に対するディスク部の信頼性を確保出来なくなる頻度が高くなる。
【０００８】
すなわち、従来のディスク部の保護方法においては、ディスク装置の設置作業中に大きな衝撃が発生した場合には、ディスク部の信頼性を確保出来なくなる場合があるという課題がある。
【０００９】
本発明は、上記課題を考慮し、ディスク装置の設置作業中に大きな衝撃が発生した場合であっても、ディスク部の信頼性を確保することが出来るディスク装置、ディスク装置の制御方法、プログラム、及び記録媒体を提供することを目的とするものである。
【課題を解決するための手段】
【００１０】
上述した課題を解決するために、第１の本発明は、映像及び音声及びデータの少なくとも一つ以上の記録及び／または再生を行うディスク部と、
前記映像及び音声及びデータの少なくとも一つ以上を処理する処理部と、
前記ディスク部及び前記処理部を制御するディスク起動制御手段と、
前記ディスク部の起動を禁止するディスク起動禁止モード及び前記ディスク部の起動を許可するディスク起動許可モードのいずれかのモードを設定するディスク起動モード設定手段とを備え、
前記ディスク起動制御手段は、電源オン操作が行われた際、（１）前記ディスク起動モード設定手段が前記ディスク起動禁止モードを設定している場合には、前記ディスク部の起動を行なわず、前記処理部を起動するように制御し、（２）前記ディスク起動モード設定手段が前記ディスク起動許可モードを設定している場合には、前記ディスク部及び前記処理部を起動するよう制御するディスク装置である。
【００１１】
また、第２の本発明は、前記ディスク起動モード設定手段は、製造出荷段階で前記ディスク起動禁止モードに設定されている第１の本発明のディスク装置である。
【００１２】
また、第３の本発明は、前記ディスク部は、磁気ディスク媒体に記録及び／または再生を行うハードディスクである、第１の本発明のディスク装置である。
【００１３】
また、第４の本発明は、前記ハードディスクの安全領域は、前記磁気ディスク媒体上に存在する、第３の本発明のディスク装置である。
【００１４】
また、第５の本発明は、前記処理部は、放送を受信するチューナである、第１の本発明のディスク装置である。
【００１５】
また、第６の本発明は、ハードディスク付きのレコーダであり、
前記処理部は、放送を受信するチューナである、第３の本発明のディスク装置である。
【００１６】
また、第７の本発明は、ハードディスク付きのＤＶＤレコーダであり、
前記処理部は、（１）放送を受信するチューナ及び（２）光ディスク媒体に受信した前記放送を記録及び／または再生を行う光ディスク部である、第３の本発明のディスク装置である。
【００１７】
また、第８の本発明は、ハードディスク付きのテレビ受像装置であり、
前記処理部は、（１）放送を受信するチューナ及び（２）受信した前記放送を表示する表示部である、第３の本発明のディスク装置である。
【００１８】
また、第９の本発明は、映像及び音声及びデータの少なくとも一つ以上の記録及び／または再生を行うディスク部と、前記映像及び音声及びデータを処理する処理部と、前記ディスク部の起動を禁止するディスク起動禁止モード及び前記ディスク部の起動を許可するディスク起動許可モードのいずれかのモードを設定するディスク起動モード設定手段とを備えたディスク装置を制御するディスク装置の制御方法であって、
電源オン操作が行われた際、（１）前記ディスク起動モード設定手段が前記ディスク起動禁止モードを設定している場合には、前記ディスク部の起動を行なわず、前記処理部を起動するように制御し、（２）前記ディスク起動モード設定手段が前記ディスク起動許可モードを設定している場合には、前記ディスク部及び前記処理部を起動するよう制御する制御ステップを備えたディスク装置の制御方法である。
【００１９】
また、第１０の本発明は、第９の本発明のディスク装置の制御方法の、電源オン操作が行われた際、（１）前記ディスク起動モード設定手段が前記ディスク起動禁止モードを設定している場合には、前記ディスク部の起動を行なわず、前記処理部を起動するように制御し、（２）前記ディスク起動モード設定手段が前記ディスク起動許可モードを設定している場合には、前記ディスク部及び前記処理部を起動するよう制御する制御ステップをコンピュータに実行させるためのプログラムである。
【００２０】
また、第１１の本発明は、第１０の本発明のプログラムを担持した記録媒体であって、コンピュータにより処理可能な記録媒体である。
【発明の効果】
【００２１】
本発明は、ディスク装置の設置作業中に大きな衝撃が発生した場合であっても、ディスク部の信頼性を確保することが出来るディスク装置、ディスク装置の制御方法、プログラム、及び記録媒体を提供することが出来る。
【発明を実施するための最良の形態】
【００２２】
以下に、本発明の実施の形態を図面を参照して説明する。
【００２３】
第１図は、本発明の実施の形態によるディスク装置の構成を説明するための図である。以下、第１図を用いて上記ディスク装置の構成を説明する。
【００２４】
本実施の形態のディスク装置は、キー入力手段１１、ハードディスク１２、ディスク起動制御手段１３、ディスク起動モード設定手段１４、不揮発性記憶媒体１５、表示手段１６、及び処理部１７を備えている。
【００２５】
キー入力手段１１は、リモコンや本体操作釦などのキー入力の検出を行う手段である。ハードディスク１２は、入力されたデータを磁気ディスク媒体に記録したり、磁気ディスク媒体に記録されたデータを再生したりする手段である。ディスク起動制御手段１３はハードディスク１２の起動または停止動作を行う手段である。ディスク起動モード設定手段１４は、ハードディスク１２の起動を許可するか禁止するかを示すディスク起動許可禁止モード情報の設定をキー入力手段１１から入力されるキー入力情報に基づいて行う手段である。不揮発性記憶媒体１５は、前記ディスク起動許可禁止モード情報を記憶する手段である。表示手段１６は、前記ディスク起動動許可禁止モード情報の表示あるいは、前記ディスク起動許可禁止モード情報の設定を行うときの操作手順に関する表示をするための手段である。処理部１７は、映像、音声を受信するチューナの機能などハードディスク１２以外の機能を有する手段である。
【００２６】
なお、本実施の形態のハードディスク１２は本発明のディスク部の例である。
【００２７】
次に、このような本実施の形態の動作を説明する。
【００２８】
まず、第１図、第２図及び第３図を用いて、本実施の形態によるディスク装置の動作について説明する。
【００２９】
第２図および第３図は第１図で示されたディスク装置を実現するためのソフトウェアのフローチャートである。すなわち、第２図は第１図のディスク起動モード設定手段１４におけるディスク起動許可禁止モード情報の設定動作を示すフローチャートであり、第３図は第１図のディスク起動制御手段１３におけるハードディスクの起動及び起動停止動作を示すフローチャートである。第２図のフローチャート及び第３図のフローチャートは、キー入力手段１１がキー入力情報を検出したタイミングで、検出されたキー入力情報の種類に応じて動作するよう構成されている。
【００３０】
まず、キー入力手段１１がユーザによるキー入力発生時にキー入力情報の検出を行う（ステップ２ａ）。すなわち、ステップ２ａにおいて、キー入力手段１４が、ユーザによるキー入力手段１１へのキー入力が行われることにより、キー入力手段１１がキー入力情報を検出した場合には、ステップ２ｂに進む。一方、ステップ２ａにおいて、キー入力手段１１が、ユーザによるキー入力手段１１へのキー入力が行われなかったために、キー入力情報を検出しなかった場合には、ステップ２ｍへ進む。
【００３１】
ステップ２ｂにおいて、ディスク起動モード設定手段１４は、入力されたキー入力情報が、製造出荷段階などにキー入力される出荷設定情報かどうかの判定を行う。そして、ディスク起動モード設定手段１４は、キー入力情報が出荷設定情報であると判断した場合には、ステップ２ｆに進む。そして、ステップ２ｆにおいて、ディスク起動モード設定手段１４は、強制的に前記ディスク起動許可禁止モード情報をディスク起動禁止モードに設定して、ステップ２ｇに進む。ステップ２ｇにおいて、ディスク起動モード設定手段１４は、不揮発性記憶媒体１５へその設定した情報を記憶させて、ステップ２ｋに進む。ステップ２ｋにおいて、表示手段１６は、ユーザがディスク装置を操作する際の確認のために前記ディスク起動許可禁止モード情報を数秒間表示して、ステップ２ｍに進む。
【００３２】
なお、出荷設定情報とは、本実施の形態のディスク装置が工場から出荷される際にキー入力手段１１によりキー入力される情報である。もちろんキー入力手段１１によりキー入力することにより本実施の形態のディスク装置が工場から出荷された後に、ユーザによって使用されている際にも出荷設定情報を入力しても構わない。すなわち、出荷設定情報が入力された場合、本実施の形態のディスク装置の電源を再度入れた場合、強制的にディスク起動許可禁止モード情報がディスク起動禁止モードに設定される。
【００３３】
一方、前記ステップ２ｂにおいて、ディスク起動モード設定手段１４は、出荷設定情報でないと判断した場合は、通常動作モードと判定し、ステップ２ｃに進む。ステップ２ｃにおいて、ディスク起動モード設定手段１４は、キー入力情報がディスク起動モード設定に関する情報かどうかの判定を行う。そして、ディスク起動モード設定手段１４が、キー入力情報がディスク起動モード設定に関する情報であると判定した場合、ステップ２ｄに進み、ディスク起動モード設定手段１４が、キー入力情報がディスク起動モード設定に関する情報ではないと判定した場合、ステップ２ｍに進む。ここで、ディスク起動モード設定に関する情報とは、ディスク起動許可禁止モード情報を設定するための情報である。すなわち、ディスク起動許可禁止モード情報を設定するために予め決められている方法に従ってユーザがキー入力手段１１にキー入力した場合のキー入力情報がディスク起動モード設定に関する情報である。具体的には、操作パネルまたはリモコンの所定のボタンを長押しすることにより得られる情報や、起動モードを設定するためのボタンを押したことにより得られる情報や、起動モードを設定するためにＧＵＩを表示した情報などが、ディスク起動モード設定に関する情報になる。第４図に、ディスク起動許可禁止モード情報を設定するＧＵＩ（Ｇｒａｐｈｉｃａｌ  Ｕｓｅｒ  Ｉｎｔｅｒｆａｃｅ）２１の例を示す。第４図において、許可２２を選択すると、ディスク起動許可禁止モード情報として「許可モード」を設定することが出来、禁止２３を選択すると、ディスク起動許可禁止モード情報として「禁止モード」を設定することが出来る。また、設定したモードを確定する場合には、ＯＫ２４を選択し、設定した内容を取り消す場合にはＣａｎｃｅｌ２５を選択すればよい。
【００３４】
ステップ２ｄおいて、表示手段１４は、すでに不揮発性記憶媒体１５に記憶されている前記ディスク起動許可禁止モード情報並びに前記ディスク起動許可禁止モード情報の設定変更の操作方法に関する情報などの表示を行う。続いて、ユーザが、表示されたディスク起動許可禁止モード情報の設定変更の操作方法に関する情報に基づいて、ディスク起動許可禁止モード情報を設定すると、ステップ２ｅに進む。ステップ２ｅにおいて、ディスク起動モード設定手段１４は、ユーザにより設定されたディスク許可禁止モード情報の判定を行う。すなわち、ディスク起動モード設定手段１４が、ユーザにより設定されたディスク起動許可禁止モード情報が「許可」モードであると判定した場合、ステップ２ｉに進み、ディスク起動モード設定手段１４が、ユーザにより設定されたディスク起動許可禁止モード情報が「禁止モード」であると判定した場合、ステップ２ｆに進む。
【００３５】
ステップ２ｉにおいて、ディスク起動モード設定手段１４は、前記ディスク起動許可禁止モード情報をディスク起動許可モードに確定して、ステップ２ｊに進む。ステップ２ｊにおいて、確定した前記ディスク起動許可禁止モード情報を不揮発性記憶媒体１５へ記憶させ、ステップ２ｋに進む。ステップ２ｋにおいて、表示手段１６は、操作の確認のために前記ディスク起動許可禁止モード情報を数秒間表示して、ステップ２ｍに進む。
【００３６】
その後、ステップ２ｍにおいて、ディスク起動許可禁止モードの判断処理やディスク起動停止判断処理を行うために必要な電源供給の有無を判定する。ディスク起動許可禁止モードの判断処理やディスク起動停止判断処理を行うために必要な電源供給が行われていると判定された場合は、上述したステップ２ａに進み、そのような電源供給が行われていると判定されなかった場合には、処理を終了する。
【００３７】
以上、第２図のフローチャートに基づく動作について説明した。次に、第３図のフローチャートに基づく動作について説明する。
【００３８】
第３図において、キー入力発生時にキー入力手段１１においてキー入力情報の検出を行う（ステップ３ａ）。すなわち、ステップ３ａにおいて、ユーザによるキー入力手段１１へのキー入力が行われることにより、キー入力手段１１がキー入力情報を検出した場合には、ステップ３ｂに進む。一方、ステップ３ａにおいて、キー入力手段１１が、ユーザによるキー入力手段１１へのキー入力が行われなかったために、キー入力手段１１がキー入力情報を検出しなかった場合には、ステップ３ｉへ進む。
【００３９】
ステップ３ｂにおいて、ディスク起動制御手段１３は、キー入力手段１１からのキー入力情報が電源ＯＮや電源ＯＮに連動した書き込みや読み出し指令などである通常動作におけるディスク起動指令情報かどうかを判断する。なお、ディスク起動指令情報とは、ユーザが通常録画再生するための電源ＯＮや、ユーザデータのハードディスク１２への書き込みや、ユーザデータのハードディスク１２からの読み出しや、ユーザデータのハードディスク１２からの削除などの通常ハードディスク１２を操作するコマンド群を言う。また、ディスク起動指令情報以外とは、ユーザが電源を切るために電源をＯＦＦにする指令や、強制的にハードディスク１２の起動を停止させる指令を言う。そして、ディスク起動制御手段１３が、キー入力情報が電源ＯＮや電源ＯＮに連動した書き込みや読み出し指令などである通常動作におけるディスク起動指令情報であると判断した場合には、ディスク起動制御手段１３は、まず、処理部１７を起動する。
【００４０】
そして、ステップ３ｂにおいて、ディスク起動制御手段１３が、キー入力情報が電源ＯＮなどと連動した通常動作におけるディスク起動指令情報であると判断した場合、ディスク起動制御手段１３は、さらに不揮発性記憶媒体１５において保持している前記ディスク起動許可禁止モード情報を読み出し、ステップ３ｃに進む。ステップ３ｃにおいて、ディスク起動制御手段１３は、ディスク起動許可禁止モード情報がディスク起動許可モードかどうかの判定を行う。そして、ディスク起動制御手段１３は、ディスク起動許可禁止モード情報が「ディスク起動許可モード」であると判定した場合、ステップ３ｄに進み、そうでないと判定した場合、ステップ３ｅに進む。
【００４１】
ステップ３ｄにおいて、ディスク起動制御手段１３は、ハードディスク１２に対してディスク起動処理を行い、ステップ３ｉに進む。一方、ステップ３ｅにおいて、ディスク起動制御手段１３は、ハードディスク１２が起動している場合にはディスク起動停止処理を行い、ハードディスク１２が停止している場合には、そのままステップ３ｆに進む。ステップ３ｆにおいて、表示手段１６は、前記ディスク起動許可禁止モード情報がディスク起動禁止モードになっているメッセージを数秒間表示して、ユーザに通常操作状態と異なることを通知して、ステップ３ｉに進む。
【００４２】
一方、ステップ３ｂにおいて、ディスク起動制御手段１３が、キー入力情報が電源ＯＮなどと連動した通常動作におけるディスク起動指令情報でないと判断した場合、ステップ３ｈに進む。そして、ステップ３ｈにおいて、ディスク起動制御手段１３は、ディスク起動停止情報かどうかを判断する。そして、ディスク起動制御手段１３は、ステップ３ｈにおいて、ディスク起動停止情報であると判断した場合は、ステップ３ｇに進み、そうでないと判断した場合には、ステップ３ｉに進む。なお、ディスク起動停止情報かどうかの判定は、ディスク起動制御手段１３がキー入力情報を解析して判定する。例えばユーザが、ディスク装置の操作パネルやリモコンに設けられた、ディスク装置の電源をＯＦＦ状態にするためのボタンを押した場合に、キー入力手段１１によって検出されるキー入力情報がディスク起動停止情報である。
【００４３】
そして、ステップ３ｇにおいて、ディスク起動制御手段１３は、ディスクの起動停止処理を行い、ハードディスク１２の起動を停止させ、ステップ３ｉに進む。
【００４４】
その後、ステップ３ｉにおいて、ディスク起動許可禁止モードの判断処理やディスク起動停止判断処理を行うために必要な電源供給の有無を判定する。ディスク起動許可禁止モードの判断処理やディスク起動停止判断処理を行うために必要な電源供給が行われていると判定された場合は、上述したステップ３ａに進み、そのような電源供給が行われていると判定されなかった場合には、処理を終了する。
【００４５】
上述したように、ディスク起動許可禁止モード情報がディスク起動許可モードである場合には、本実施の形態のディスク装置の電源をＯＮ状態にした場合に処理部１７の電源がＯＮ状態にされるとともに、ハードディスク１２の電源もＯＮ状態になる。また、ディスク起動許可禁止モード情報がディスク起動禁止モードである場合には、本実施の形態のディスク装置の電源をＯＮ状態にした場合に処理部１７の電源はＯＮ状態になるが、ハードディスク１２の電源はＯＦＦ状態のままになる。このようにディスク起動許可禁止モード情報によって、ディスク装置の電源がＯＮ状態にされた場合に、ハードディスク１２の電源をＯＮ状態にするかＯＦＦ状態にするかが決定される。
【００４６】
このようにディスク起動モード設定手段１４は、ハードディスク１２の起動を禁止するディスク起動禁止モード及びハードディスク１２の起動を許可するディスク起動許可モードのいずれかのモードを設定し、ディスク起動制御手段１３は、電源オン操作が行われた際、ディスク起動モード設定手段１４がディスク起動禁止モードを設定している場合には、ハードディスク１２の起動を行なわず、処理部１７を起動するように制御し、ディスク起動モード設定手段１４がディスク起動許可モードを設定している場合には、ハードディスク１２及び処理部１７を起動するよう制御する。
【００４７】
上述したようにディスク装置は動作するが、さらに、第５図〜第８図を参照して、ディスク装置がどのようにして使用されるかについて時系列で説明する。
【００４８】
第５図〜第８図は、ディスク装置が工場から出荷される前から、出荷後にユーザ宅でユーザによって設置作業が行われ、その後ユーザが実際にディスク装置を使用するまでの電源３１と電源３１に関連する部分の概要を示す図である。なお、第５図〜第８図に示すディスク装置は、電源３１をハードディスク１２に通電した場合に自動的にディスク装置のハードディスク１２の磁気ディスク媒体を回転させるためのコマンドを発行し、このコマンドに従って、ハードディスク１２の磁気ディスク媒体が、電源３１がハードディスク１２に通電された際に回転するようなディスク装置である。
【００４９】
第５図〜第８図において、ディスク装置は、電源３１、電源スイッチ３２、スイッチ３３、及びスイッチ３４を備えている。
【００５０】
電源３１は、ディスク装置を起動する電力を供給する手段である。電源スイッチ３２は、ディスク装置全体を起動及び停止させるためのスイッチである。スイッチ３３は、ディスク起動制御手段１３による制御に応じて、ハードディスク１２と電源３１との接続を導通状態にするか導通していない状態にするかを切り替える回路である。スイッチ３４は、ディスク起動制御手段１３による制御に応じて、処理部１７と電源３１との接続を導通状態にするか導通していない状態にするかを切り替える回路である。
【００５１】
まず、ディスク装置は、工場で製造される。製造されると、キー入力手段１１にキー入力情報として出荷設定情報が入力される。ディスク装置のキー入力手段１１に出荷設定情報が入力されると、不揮発性記憶媒体１５には、ディスク起動禁止モードが記憶される。第５図は、ディスク装置の不揮発性記憶媒体１５にディスク起動禁止モードが記憶された、出荷される直前のディスク装置を示すものである。このとき電源スイッチ３２はＯＦＦ状態であり、スイッチ３３及びスイッチ３４は導通しない状態に設定されている。従って、第５図のディスク装置は、起動停止の状態にある。
【００５２】
次に、第５図のディスク装置がユーザ宅に運送される。ユーザは運送されてきたディスク装置の梱包を解き、電源３１の図示していない電源コンセントを商用電源に接続する。そして、ユーザは、電源スイッチ３２を押すことにより電源スイッチ３２をＯＮ状態にする。第６図に電源スイッチ３２がＯＮ状態にされた直後のディスク装置を示す。第６図において、電源スイッチ３２がＯＮ状態になると、ディスク起動制御手段１３は、第２図及び第３図で説明したフローチャートに従って動作する。第６図の不揮発性記憶媒体１５には、ディスク起動禁止モードが記憶されている。そして、第６図では、スイッチ３３は導通しない状態であり、スイッチ３４は導通する状態になっている。すなわち、ハードディスク１２には電力が供給されず、処理部１７には電力が供給されている。つまり、ユーザが工場出荷後初めて電源スイッチ３２をＯＮ状態にした場合には、ハードディスク１２は起動されず、処理部１７のみが起動される。
【００５３】
この状態で、ユーザは、希望する設置場所にディスク装置を設置する作業、アンテナやモニターをディスク装置に接続する作業、及びディスク装置のチューナーの信号受信作業などを行う。第６図の状態では、ハードディスク１２が起動されていないので、このような作業を行っても非常に大きな衝撃が加わった場合を除いてハードディスク１２の信頼性を損なうことはない。従って、ユーザは安心してこのような作業を行うことが出来る。
【００５４】
次に、このような設置作業が完了すると、ユーザは、例えば第４図のＧＵＩ２１を操作して、許可２２を選択し、さらにＯＫ２４を選択する。そうすると、ディスク起動許可禁止モード情報がディスク起動許可モードに設定される。このような操作をした後、ユーザは、電源スイッチ３２をＯＦＦ状態にする。すなわち、ディスク装置の起動を停止する。
【００５５】
第７図は、ユーザによる設置作業が完了し、さらにディスク起動許可禁止モード情報がディスク起動許可モードに設定され、電源３２がＯＦＦ状態にされた時のディスク装置である。第７図では、電源スイッチ３２はＯＦＦ状態になっており、スイッチ３３及びスイッチ３４はともに導通していない状態に設定されている。そして、不揮発性記憶媒体１５には、ディスク起動許可モードが記憶されている。
【００５６】
次に、ユーザが、ディスク装置を使用する際、ユーザは、ディスク装置の処理部１７で放送を受信したり、処理部１７で受信した放送をハードディスク１２に記録したりするために、電源スイッチ３２をＯＮ状態にする。そうすると、第３図のフローチャートに従ってディスク装置が動作することにより、ディスク装置は第８図のような状態になる。第８図において、電源スイッチ３２はＯＮ状態になっており、スイッチ３３及びスイッチ３４はともに導通状態になる。また、不揮発性記憶媒体１５にはディスク許可禁止モード情報として、ディスク起動許可モードが設定されている。すなわち、第８図の状態では、電源スイッチ３２をＯＮ状態にすると、ハードディスク１２及び処理部１７がともに起動される。従って、ユーザはディスク装置を使用して、放送を受信したり、受信した放送をハードディスク１２に記録したりすることが出来るようになる。以上、ディスク装置がどのように使用されるかについて時系列で説明した。
【００５７】
このようなディスク装置の一例として、チューナ機能付きのハードディスク装置がある。チューナ機能付きのハードディスク装置などのディスク装置をユーザが購入した場合、ユーザは、まず購入したディスク装置の設置を行う。
【００５８】
ユーザは、希望する設置場所にディスク装置を設置する作業、アンテナやモニターをディスク装置に接続する作業、及びディスク装置のチューナーの信号受信作業などを行う。そして、このような作業を行う際には、ディスク装置の電源をオン状態にする必要がある。
【００５９】
このような作業をする場合であっても、上記第２図及び第３図で説明した動作を行うにより、ディスク装置のハードディスク１２を起動させずにユーザが上記の作業を行うことが出来る。従って、作業中にディスク装置に大きな衝撃がかかってもハードディスク１２を安全に保護することが出来る。
【００６０】
また、上述したように、製造出荷時には、ディスク装置は、製造出荷段階における出荷設定モードに設定されるので、製造出荷後初めてディスク装置の電源をオン状態にした場合、強制的に前記ディスク起動許可禁止モード情報がディスク起動禁止モードに設定される。
【００６１】
従って、ユーザが設置作業を行うために初めてディスク装置の電源をオン状態にした場合には、ディスク起動許可禁止モード情報がディスク起動禁止モードに設定されるので、ユーザは、ディスク装置のディスク起動許可禁止モード情報をディスク起動禁止モードに設定する操作を行うことなく、即設置作業にとりかかることが出来る。
【００６２】
そして、設置作業が終了した時点でユーザがディスク許可禁止モード情報をディスク起動許可モードに設定することにより、映像や音声などをハードディスク１２に記録及び再生することが出来るようになる。
【００６３】
このように、本実施の形態によれば、ディスク装置の設置作業時などハードディスク１２の起動をさせることが望ましくない場合にハードディスク１２の起動を禁止させておき、設置完了した後ハードディスク１２の起動を許可し、ハードディスク１２を使用可能にすることにより、設置作業中にハードディスク１２を保護することが出来る。
【００６４】
このように、第５図〜第８図で説明したディスク装置は、電源３１をハードディスク１２に通電した場合に自動的にディスク装置のハードディスク１２の磁気ディスク媒体を回転させるためのコマンドを発行し、このコマンドに従って、ハードディスク１２の磁気ディスク媒体が、電源３１がハードディスク１２に通電された際に回転するようなディスク装置であった。このようなディスク装置の設置作業中には上述したようにすることにより安全にディスク装置を保護することが出来る。本発明のディスク装置が、このようなディスク装置の場合には、本発明のディスク部の起動を行うとは、本発明のディスク部の電源をＯＮ状態にすることを意味する。
【００６５】
なお、本実施の形態では、第５図〜第８図で説明したように、電源３１をハードディスク１２に通電した場合に自動的にディスク装置のハードディスク１２の磁気ディスク媒体を回転させるためのコマンドを発行し、このコマンドに従って、ハードディスク１２の磁気ディスク媒体が、電源３１がハードディスク１２に通電された際に回転するようなディスク装置について説明したが、これに限らない。以下に説明するように様々なタイプのディスク装置で設置作業中に安全にディスク装置を保護することが出来る。
【００６６】
すなわち、ディスク装置が、ハードディスク１２に電源３１を通電した場合に自動的にディスク装置のハードディスク１２の磁気ディスク媒体を回転させるためのコマンドを発行しないようなディスク装置である場合、予期しないタイミングで磁気ディスク媒体を回転するためのコマンドが発行されてしまう場合がある。従って、このようなディスク装置の場合であっても、上記と同様に設置作業中にディスク装置のハードディスク１２に通電しないようにすることにより設置作業中に安全にディスク装置を保護することが出来る。従って、本発明のディスク装置が、このようなディスク装置の場合には、本発明のディスク部の起動を行うとは、本発明のディスク部の電源をＯＮ状態にすることを意味する。
【００６７】
また、ディスク装置がハードディスク１２に電源３１を通電した場合に自動的にディスク装置のハードディスク１２の磁気ディスク媒体を回転させるためのコマンドを発行しないようなディスク装置である場合、第５図〜第８図で説明した方法とは異なった方法でディスク装置の設置作業中に安全にディスク装置を保護することも出来る。すなわち、第５図〜第８図で説明した方法とは異なり、ディスク装置の設置作業を行う際に、ハードディスク１２に電源３１を通電する。ただし、設置作業中にハードディスク１２に電源３１を通電した場合には、予期しないタイミングで磁気ディスク媒体を回転するためのコマンドが発行される場合があるとディスク装置を安全に保護することは出来ない。従ってこのようなディスク装置の場合、設置作業中には、ディスク装置が、ハードディスク１２の磁気ディスク媒体を回転させるためのコマンドを発行しないようにする。このようにすれば、設置作業中には、ハードディスク１２に電源３１が通電されても、ハードディスク１２の磁気ディスク媒体を回転させるためのコマンドが発行されないので、ハードディスク１２の磁気ディスク媒体が回転しない。従って、設置作業中にディスク装置を保護することが出来る。従って、本発明のディスク装置が、このようなディスク装置の場合には、本発明のディスク部の起動を行うとは、本発明のディスク部の電源をＯＮ状態にした後本発明のディスク部のメディアを回転させることを意味する。
【００６８】
また、ディスク装置の電源をＯＮ状態にしても、ハードディスク１２の磁気ディスク媒体などのメディアを回転させるためのコマンドが発せられるまではメディアが回転しないようなディスク装置の場合、さらに、このディスク装置がハードディスク１２の電源をＯＮ状態にすることによって、ハードディスク１２の電源がＯＦＦ状態の場合より、ディスクヘッドが動きやすくなるような機構を有する場合には、設置作業中にハードディスク１２に通電しないようにすることにより、設置作業中にハードディスク１２を保護することが出来、ハードディスク１２の信頼性を向上させることが出来る。従って、本発明のディスク装置が、このようなディスク装置の場合には、本発明のディスク部の起動を行うとは、本発明のディスク部の電源をＯＮ状態にすることによって、本発明のディスク部のディスクヘッドが電源ＯＦＦ状態の場合より動きやすくなることを意味する。
【００６９】
なお、上記の実施の形態では、一度前記ディスク起動許可禁止モード情報を「ディスク起動許可モード」に設定した後でも、ユーザによるキー入力操作でディスク起動許可禁止モード情報を再び「ディスク起動禁止モード」に設定することができ、再度設置作業などを行う場合に、ハードディスク１２の起動モードを簡単にディスク起動禁止モードにすることで安心して作業を行うことができる。
【００７０】
なお、本発明のディスク装置は、本実施の形態における、チューナの機能を有する処理部１７とハードディスク１２とを有するディスク装置に限らない。処理部１７が、放送を受信するチューナの機能及び光ディスク媒体に受信した放送を記録及び／または再生を行う光ディスク部の機能を有し、ハードディスク１２が、磁気ディスク媒体に記録及び／または再生を行う機能を有するＤＶＤレコーダであっても構わない。また処理部１７が、放送を受信するチューナの機能及び受信した放送を液晶ディスプレイなどのディスプレイに表示する表示部の機能を有し、ハードディスク１２が、磁気ディスク媒体に記録及び／または再生を行う機能を有するテレビ受像装置であっても構わない。
【００７１】
要するに、本発明のディスク装置は、本発明のディスク部のメディアが回転していない時より本発明のディスク部のメディアが回転している時の方が衝撃に弱いディスク部を有する装置でありさえすればよく、本発明の処理部は、本発明のディスク部以外の任意の機能を果たすもでありさえすればよい。
【００７２】
このように、本実施の形態によれば、ディスク装置の製造出荷段階においては、ハードディスク１２のディスク起動許可禁止モード情報をディスク起動禁止モードに設定し、購入されたユーザによるディスク制御装置の設置作業を完了した後、明示的なユーザ操作でハードディスク１２のディスク起動許可禁止モード情報の設定をディスク起動許可モードにするすなわち通常の動作可能状態に変更させることにより、前記設置作業中にディスク制御装置に衝撃がかかった場合でもハードディスク１２の起動を禁止することで、非常に大きな衝撃が加わった場合を除いてハードディスク１２への障害をなくすことができる。
【００７３】
すなわち、ハードディスクなどのハードディスク１２の起動モードを製造出荷段階において「ディスク起動禁止モード」に設定することで、ユーザが購入した後の最初の設置作業などで、通常の電源オン操作を行っても製造出荷段階ですでに前記ディスク起動許可禁止モード情報が「ディスク起動禁止モード」になっているため、ハードディスク１２の起動は行われず、前記設置作業中にハードディスク１２への衝撃や振動が発生しても、非常に大きな衝撃が加わった場合を除いてハードディスク１２への障害なくすことができ、ハードディスク１２の信頼性を確保することができる。また、一度前記ディスク起動モード情報を「ディスク起動許可モード」に変更した後でも、再度「ディスク起動禁止モード」設定に変更にすることで、購入後の再設置作業においても、同様の効果を得ることができる。
【００７４】
尚、本発明のプログラムは、上述した本発明のディスク装置の制御方法の全部又は一部のステップ（又は、工程、動作、作用等）の動作をコンピュータにより実行させるためのプログラムであって、コンピュータと協働して動作するプログラムである。
【００７５】
又、本発明の記録媒体は、上述した本発明のディスク装置の制御方法の全部又は一部のステップ（又は、工程、動作、作用等）の全部又は一部の動作をコンピュータにより実行させるためのプログラムを担持した記録媒体であり、コンピュータにより読み取り可能且つ、読み取られた前記プログラムが前記コンピュータと協動して前記動作を実行する記録媒体である。
【００７６】
尚、本発明の上記「一部の手段（又は、装置、素子等）」とは、それらの複数の手段の内の、一つ又は幾つかの手段を意味し、本発明の上記「一部のステップ（又は、工程、動作、作用等）」とは、それらの複数のステップの内の、一つ又は幾つかのステップを意味する。
【００７７】
又、本発明の上記「手段（又は、装置、素子等）の機能」とは、前記手段の全部又は一部の機能を意味し、本発明の上記「ステップ（又は、工程、動作、作用等）の動作」とは、前記ステップの全部又は一部の動作を意味する。
【００７８】
又、本発明のプログラムの一利用形態は、コンピュータにより読み取り可能な記録媒体に記録され、コンピュータと協働して動作する態様であっても良い。
【００７９】
又、本発明のプログラムの一利用形態は、伝送媒体中を伝送し、コンピュータにより読みとられ、コンピュータと協働して動作する態様であっても良い。
【００８０】
又、本発明のデータ構造としては、データベース、データフォーマット、データテーブル、データリスト、データの種類などを含む。
【００８１】
又、記録媒体としては、ＲＯＭ等が含まれ、伝送媒体としては、インターネット等の伝送媒体、光・電波・音波等が含まれる。
【００８２】
又、上述した本発明のコンピュータは、ＣＰＵ等の純然たるハードウェアに限らず、ファームウェアや、ＯＳ、更に周辺機器を含むものであっても良い。
【００８３】
尚、以上説明した様に、本発明の構成は、ソフトウェア的に実現しても良いし、ハードウェア的に実現しても良い。
【産業上の利用可能性】
【００８４】
本発明にかかるディスク装置、ディスク装置の制御方法、プログラム、及び記録媒体は、ディスク装置の設置作業中に大きな衝撃が発生した場合であっても、ディスク部の信頼性を確保することが出来るという効果を有し、外部からの衝撃などからディスク部を保護することが出来るディスク装置、ディスク装置の制御方法、プログラム、及び記録媒体等に有用である。
【図面の簡単な説明】
【００８５】
【図１】本発明の実施の形態におけるディスク装置を示す図である。
【図２】本発明の実施の形態におけるディスク起動許可禁止モード情報の設定動作のフローを示す図である。
【図３】本発明の実施の形態におけるディスクの起動及び起停止動作のフローを示す図である。
【図４】本発明の実施の形態におけるディスク起動許可禁止モード情報を設定するＧＵＩの一例を示す図である。
【図５】本発明の実施の形態におけるディスク装置の電源と電源に関連する部分の概要を示す図である。
【図６】本発明の実施の形態におけるディスク装置の電源と電源に関連する部分の概要を示す図である。
【図７】本発明の実施の形態におけるディスク装置の電源と電源に関連する部分の概要を示す図である。
【図８】本発明の実施の形態におけるディスク装置の電源と電源に関連する部分の概要を示す図である。
【符号の説明】
【００８６】
１１  キー入力手段
１２  ハードディスク
１３  ディスク起動制御手段
１４  ディスク起動モード設定手段
１５  不揮発性記憶媒体
１６  表示手段
１７  処理部